(57)【特許請求の範囲】
【請求項１】
一対の弾性柱状体より成り、各柱状体は、軸心部に支柱を挿通する貫通穴を有し、かつ、一端部に環状欠切部を有し、前記各柱状体の貫通穴は、両柱状体をそれらの環状欠切部側の端面を突き合わせて同軸的に重ねあわせたとき、互に連通して支柱を挿脱可能に挿入する穴となり、前記各柱状体の環状欠切部は、両柱状体をそれらの環状切部側の端面を突き合わせて同軸的に重ね合わせたとき、その重ね合わせた部の周囲に断面Ｕ字形の環状溝を形成することを特徴とする支柱用支持具。
【請求項２】
前記環状溝に嵌合する環状固定具を備えていることを特徴とする請求項１に記載の支柱用支持具。
【請求項３】
軸心部に支柱を挿通する貫通穴を有し、かつ軸心方向中間部の外周に軸心部を中心とする環状溝を有する弾性柱状体と、前記環状溝に嵌める環状固定具とより成り、前記環状固定具は、左右一対の半円環状固定具とより構成したことを特徴とする支柱用支持具。
【発明の詳細な説明】
【技術分野】
【０００１】  本発明は、道路、公共施設、公園等における公共施設、あるいは歩車道の区分帯、駐車場の区画支柱に使用される支柱等の設置に際して使用される支柱用支持具に関するものである。
【技術の背景】
【０００２】図８は、従来の支柱用支持具の縦断図面である（特許文献１参照）。図において、コンクリート基礎２３と、仕切用ポール２２との間に介在し、この仕切用ポール２２を傾倒自在に支持する仕切用ポール２２の弾性支持構造２１において、この弾性支持構造２１は仕切用ポール２２より幾分大径に構成される受入口２７と、仕切用ポール２２の一部に直接当接し、この仕切用ポール２２を支承する支承部２８と、コンクリート基礎２３または、このコンクリート基礎２３に対して設けられる基礎ブロックの取付面に係合する接合面２９と、仕切用ポール２２の傾倒を弾性をもつて許容する弾性部３０とにより構成されている。
【０００３】  次に、前記弾性支持構造２１は、ゴム、またはウレタンを素材とした一体の部材により構成され、その接合面２９の形状は中央にくびれ部３１を挟んで上端、下端に向かって径寸法が漸増するように構成されている。【特許文献１】実開平５−９４３２１号公報
【発明の開示】
【０００４】  しかし、従来の支柱用支持具には、次のような問題点があった。図８に示すように、弾性部３０に於て仕切用ポール２２は横方向からの衝撃、あるいは接触による押圧に対して、フランジ受部３２、及び支承部２８を前方に押圧すると共に、仕切用ポール本体２４の基端部２６は受入口２７を後方に押圧して軸心部をずらしながら傾倒する。この押圧が解除された後は、前記弾性部３０の弾性による復元力によって、元の垂直な立設状態に復帰する。
【０００５】  このように、この弾性支持構造２１は、仕切用ポール本体２４を所定の軸心部に固定する手段を施していないために、傾倒のとき前記仕切用ポール本体２４を支えるための支点部がないために、軸心部をずらしながら傾倒する。また押圧が解除された後の復帰力は極めて弱く、前記フランジ受部３２、及び支承部２８、更には軸心部には経年と共に遊びが生じてこの仕切用ポール本体２４を所定の軸心部に垂直状態に維持することは困難である。
【課題を解決するための手段】
【０００６】  本発明の支柱用支持具は、次の（１）から（３）に記載のものである。（１）一対の弾性柱状体より成り、各柱状体は、軸心部に支柱を挿通する貫通穴を有し、かつ、一端部に環状欠切部を有し、前記各柱状体の貫通穴は、両柱状体をそれらの環状欠切部側の端面を突き合わせて同軸的に重ね合わせたとき、互に連通して支柱を挿脱可能に挿入する穴となり、前記各柱状体の環状欠切部は、両柱状体をそれらの環状欠切部側の端面を突き合わせて同軸的に重ね合わせたとき、その重ねた合わせ部の周囲に断面Ｕ字形の環状溝を形成することを特徴とする支柱用支持具。
【０００７】（２）前記環状溝に嵌合する環状固定具を備えていることを特徴しする上記（１）に記載の支柱用支持具。
【０００８】（３）軸心部に支柱を挿通する貫通穴を有し、かつ軸心方向中間部の外周に軸心部を中心とする環状溝を有する弾性柱状体と、前記環状溝に嵌める環状固定具とより成り、前記環状固定具は、左右一対の半円環状固定具とより構成したことを特徴とする支柱用支持具。
【発明の効果】
【０００９】  本発明は、弾性柱状体にて成る上部柱状体と下部柱状体により構成されている。その中間部に設けられているＵ字状の環状溝がコンクリート、あるいは支柱を固定する環状固定具によって固定されることによって、この弾性柱状体の軸心部に遊びが生じることはなく、支柱は所定の軸心部に垂直状態に立設することができる。
【００１０】  前記支柱は、横方向からの衝撃、あるいは接触による押圧が加わったとき、前記環状溝を支点として上部柱状体と下部柱状体との相互の弾性力によって全方向に柔軟に傾倒し、地上部分からの折れ曲がりや折損等の損害を防止することができる。  また、この押圧が解除された支柱は、前記両柱状体の相互の弾性力による復元力によって所定の立設状態に復帰する。
【００１１】  従って、前記のように支柱の損害を防止できることから、補修工事等に要する諸経費の負担は大幅に軽減されると共に、歩車道の区別帯に於ける損傷のままの支柱の放置が是正されることから通行人の安全な通行を図ることができる。
【００１２】  次に、この支柱、及び支柱用支持具は挿脱自在に設置できることから、新設、あるいは補修工事に於ける工期の短縮、及び諸経費の大幅な軽減を図ることができる。  更に、この支柱用支持具は、形状、及び構成が簡素なことから工業的に量産可能であり、更に流通過程に於いても大量に行うことができることから、いずれのコストも大幅に軽減可能であり、新規で低廉な製品を提供することができる。
【発明を実施するための最良の形態】
【００１３】  以下、発明の実施の形態について第１図から第７図にもとづいて説明する。
【実施例１】  図１，２の支柱用支持具は、請求項１の実施例を示す。  これは図１に示すように、全体がゴム、あるいはウレタンを素材とする弾性樹脂材にて円柱状体に形成されている。  この円柱状体の軸心部には支柱を挿通する貫通穴５が設けられており、その外径は支柱の外径よりやや大きく形成されている。前記円柱状体２者を同軸的に重ね合わせて接合したとき、その重ね合わせ部に両者にまたがるＵ字状の環状溝８が形成される。この環状溝８は、軸心部方向に同心円部の形状を成しており、前記環状溝８を挟んで上部柱状体１ａ、及び下部柱状体１ｂの両者にて構成して支柱用支持具１を形成する。【００１４】  この場合、前記上部柱状体１ａ、と下部柱状体１ｂの重ね合わせ部７を固着して一体に形成しても良い。また前記柱状体は異形、あるいは異径とを組み合わせて形成しても良い。  尚、前記柱状体の外形は、楕円柱状体、あるいは多角柱状体等の多種の形状の実施例も考えられる。  また、前記環状溝の形状に於いても楕円溝、あるいは偏心円溝等の多種の態様も考えられる。【００１５】  本発明の実施例１は以上のような構成で、これを使用するときは、実施例１の支柱用支持具１は、図２に示すように、上部柱状体１ａ、及び下部柱状体１ｂの両者の環状欠切部６、６を同軸的に重ね合わせて接合し、あるいはその重ね合わせ部７を固着して一体に形成し、地中に埋設して固定材にて固設する。その固定材が安定した後に、同軸的に接合している貫通穴５に、支柱１３を挿脱自在に押通して立設する。
【実施例２】
【００１６】  図３、４の支柱用支持具２は、請求項２の実施例を示す。  これは、図３、４に示すように、前記支柱用支持具１の環状溝８に支柱を固定する環状固定具１０を上部柱状体１ａ、と下部柱状体１ｂの両者にて上下より挟持して嵌合し、この両柱状体の環状欠切部６、６を同軸的に重ね合わせて接合し、一体にして支柱用支持具２を形成する。【００１７】  この場合、環状固定具１０を嵌合した後に、前記接合部７は固着して一体に形成しても良い。  本発明の実施例２は以上のような構成で、これを使用するときは、図５に示すように、前記支柱用支持具２は、地面に穿設した穴部に固定材にて固設する。この固定材が安定した後に前記同軸的に接合している貫通穴５に支柱１３を挿脱自在に挿通して立設する。あるいは地面に固設した前記柱状体が挿脱自在にできる穴部に、前記支柱用支持具２を嵌挿して設置して、上記同様貫通穴５に支柱１３を挿脱自在に挿通して立設する。
【実施例３】
【００１８】  図６、７の支柱用支持具３は、請求項３の実施例を示す。  これは図６、７に示すように、前記円柱状体の軸心部に支柱を挿通する貫通穴５を設け、前記軸心部方向中間部に同心円溝に形成されたＵ字状の環状溝８を設ける。この環状溝８に支柱を固定する半円環状固定具１１ａ、及び１１ｂの両者を左右より挟持して嵌合し、この両者の端部を接合して支柱用支持具３を形成する。【００１９】  この場合、前記環状固定具１１ａ、及び１１ｂを嵌合して接合した後に、この接合部９は固着して一体にして形成しても良い。  本発明の実施例３は以上のような構成で、これを使用するときは、前記支柱用支持具３は前項図５に示すように、前記同様にこの支柱用支持具３を設置して、貫通穴５に支柱１３を挿脱自在に挿通して立設する。
【図面の簡単な説明】
【００２０】
【図１】実施例１の支柱用支持具の斜視図
【図２】実施例１の支柱用支持具の使用状態を示す縦断図面
【図３】実施例２の支柱用支持具の斜視図
【図４】実施例２の支柱用支持具の分解斜視図
【図５】実施例２の支柱用支持具の使用状態を示す縦断図面
【図６】実施例３の支柱用支持具の斜視図
【図７】実施例３の支柱用支持具の分解斜視図
【図８】従来の支柱用支持具の縦断図面
【符号の説明】
【００２１】１．  支柱用支持具１ａ  上部柱状体１ｂ  下部柱状体２．  支柱用支持具３．  支柱用支持具５．  貫通穴６．  環状欠切部７．  重ね合わせ部８．  環状溝９．  接合部１０  環状固定具１１ａ半円環状固定具１１ｂ半円環状固定具１３  支柱
【図８】
0004081691.tif 000002
0004081691.tif 000003
0004081691.tif 000004
0004081691.tif 000005
0004081691.tif 000006
0004081691.tif 000007